(57)【要約】【課題】不正な主制御基板が取り付けられたことを容易に発見することが可能な遊技機を提供すること。【解決手段】主制御基板１に、遊技機の電源投入から電源遮断までの給電時間を計測する給電時間計測手段１１と、電源遮断時に給電時間計測手段１１により計測された給電時間計測値を記憶する給電時間計測値記憶手段１２と、電源再投入時に、給電時間計測値記憶手段１２に記憶されている給電時間計測値を演出制御基板２に出力する給電時間計測値出力手段１３とを設ける。演出制御基板２に、複数種類の報知内容を予め記憶した報知内容記憶手段２１と、主制御基板１から給電時間計測値が入力されてきたとき、報知内容記憶手段２１に記憶されている複数種類の報知内容のうちから当該給電時間計測値に対応する１種類の報知内容を選択し、報知手段３〜６に出力する報知内容選択出力手段２２とを設ける。【選択図】図１
2008043552.tif 000002
【特許請求の範囲】
【請求項１】
メイン基板とサブ基板と報知手段とを備える遊技機であって、
前記メイン基板に、遊技機の電源投入から電源遮断までの給電時間を計測する給電時間計測手段と、電源遮断時に前記給電時間計測手段により計測された給電時間計測値を記憶する給電時間計測値記憶手段と、電源再投入時に、前記給電時間計測値記憶手段に記憶されている給電時間計測値を前記サブ基板に出力する給電時間計測値出力手段とを設け、かつ、
前記サブ基板に、複数種類の報知内容を予め記憶した報知内容記憶手段と、前記メイン基板から前記給電時間計測値が入力されてきたとき、前記報知内容記憶手段に記憶されている複数種類の報知内容のうちから当該給電時間計測値に対応する１種類の報知内容を選択し、前記報知手段に出力する報知内容選択出力手段とを設けた
ことを特徴とする遊技機。
【請求項２】
メイン基板と報知手段とを備える遊技機であって、
前記メイン基板に、遊技機の電源投入から電源遮断までの給電時間を計測する給電時間計測手段と、電源遮断時に前記給電時間計測手段により計測された給電時間計測値を記憶する給電時間計測値記憶手段と、複数種類の報知内容を予め記憶した報知内容記憶手段と、電源再投入時に、前記報知内容記憶手段に記憶されている複数種類の報知内容のうちから前記給電時間計測値記憶手段に記憶されている給電時間計測値に対応する１種類の報知内容を選択し、前記報知手段に出力する報知内容選択出力手段とを設けた
ことを特徴とする遊技機。
【発明の詳細な説明】
【技術分野】
【０００１】
本発明は、パチンコ遊技機、スロットマシンなど遊技機に関する。
【背景技術】
【０００２】
パチンコ遊技機など遊技機は、遊技状態全体を制御するプログラムを組み込んだメイン基板、及び、メイン基板からコマンドを受信し、液晶表示、音声出力及びランプ表示による各種演出などを制御するサブ基板を備える。
【０００３】
メイン基板のプログラムは、上記のように遊技状態全体を制御するものであり、例えば、遊技者に対し多数の賞球の払出しによる特典を与える特別遊技状態（大当たり）を発生させる確率は所定値に予め設定されている。
【０００４】
しかし、近時、上記大当たり発生率を極めて高い値に設定するなど過度の特典を得られるよう改変された不正プログラムを組み込んだ不正なメイン基板を予め用意しておき、遊技機から正規のメイン基板を取り外し、代わりに不正なメイン基板を遊技機に取り付けるという不正行為が行われている。
【０００５】
不正なメイン基板は、外観上正規のメイン基板と識別できない程巧妙につくられている場合が多く、上記のような不正行為が行われた後に目視で不正なメイン基板を発見すること（例えば、特許文献１参照）は非常に難しく、不正なメイン基板を発見するためには多大な労力と時間が必要とされていた。
【特許文献１】特開２００１−５４６６７公報
【発明の開示】
【発明が解決しようとする課題】
【０００６】
本発明は、上記の点に鑑みなされたものであり、不正なメイン基板が取り付けられたことを容易に発見することが可能な遊技機を提供することを目的とする。
【課題を解決するための手段】
【０００７】
本発明の第１の遊技機は、メイン基板とサブ基板と報知手段とを備える遊技機であって、前記メイン基板に、遊技機の電源投入から電源遮断までの給電時間を計測する給電時間計測手段と、電源遮断時に前記給電時間計測手段により計測された給電時間計測値を記憶する給電時間計測値記憶手段と、電源再投入時に、前記給電時間計測値記憶手段に記憶されている給電時間計測値を前記サブ基板に出力する給電時間計測値出力手段とを設け、かつ、前記サブ基板に、複数種類の報知内容を予め記憶した報知内容記憶手段と、前記メイン基板から前記給電時間計測値が入力されてきたとき、前記報知内容記憶手段に記憶されている複数種類の報知内容のうちから当該給電時間計測値に対応する１種類の報知内容を選択し、前記報知手段に出力する報知内容選択出力手段とを設けたことを特徴とする。
【０００８】
本発明の第１の遊技機によると、パチンコホールなどにおいて、１台の遊技機に対して不正行為が行われ、正規のメイン基板の代わりに不正なメイン基板が取り付けられた場合、メイン基板の給電時間計測手段による給電時間計測値は、他の不正行為が行われなかった遊技機の給電時間計測手段による給電時間計測値と通常は異なる値となる。各々の遊技機の報知手段は、電源再投入時に、各々の給電時間計測手段によって計測された給電時間計測値に応じた報知内容で報知を行うため、不正行為が行われた遊技機の報知手段で報知される報知内容と、不正行為が行われなかった遊技機の報知手段で報知される報知内容とを異なるものとすることが可能である。このため、パチンコホールの開店直前などの電源再投入時に、他の遊技機とは異なる報知内容で報知が行われている遊技機の有無に注意することで、不正行為が行われた遊技機を容易に発見することができるようになる。
【０００９】
また、本発明の第２の遊技機は、メイン基板と報知手段とを備える遊技機であって、前記メイン基板に、遊技機の電源投入から電源遮断までの給電時間を計測する給電時間計測手段と、電源遮断時に前記給電時間計測手段により計測された給電時間計測値を記憶する給電時間計測値記憶手段と、複数種類の報知内容を予め記憶した報知内容記憶手段と、電源再投入時に、前記報知内容記憶手段に記憶されている複数種類の報知内容のうちから前記給電時間計測値記憶手段に記憶されている給電時間計測値に対応する１種類の報知内容を選択し、前記報知手段に出力する報知内容選択出力手段とを設けたことを特徴とする。
【００１０】
本発明の第２の遊技機は、上記第１の遊技機においてサブ基板が行う役割をメイン基板が行うよう構成したものであり、第２の遊技機によっても、第１の遊技機と同様、パチンコホールの開店直前などの電源再投入時に、他の遊技機とは異なる報知内容で報知が行われている遊技機の有無に注意することで、不正行為が行われた遊技機を容易に発見することができるようになる。
【発明を実施するための最良の形態】
【００１１】
以下、本発明の実施形態を図面に基づいて説明する。
【００１２】
図１は、本発明の第１実施形態に係るパチンコ遊技機における電気系統の主要部ブロック図、図２は、図１図示の主制御基板及び演出制御基板による不正行為発見のための処理の内容を表したフローチャート、図３は、本発明の第２実施形態に係るパチンコ遊技機における電気系統の主要部ブロック図、図４は、図３図示の主制御基板による不正行為発見のための処理の内容を表したフローチャートをそれぞれ示す。
【００１３】
図１において、１は、遊技状態全体を制御するプログラムを組み込んだメイン基板としての主制御基板、２は、メイン基板１からコマンドを受信し、図柄表示装置３による図柄変動表示、スピーカ４による音声出力、及び装飾ランプ５によるランプ表示をそれぞれ制御するサブ基板としての演出制御基板であって、遊技機周辺のホールコンピュータなど外部装置６にも接続された演出制御基板を表す。ここで、図柄表示装置３、スピーカ４、装飾ランプ５及び外部装置６は、それぞれ報知手段を構成している。
【００１４】
主制御基板１は、遊技機の電源投入時に起動し、電源遮断までの給電時間を計測する給電時間計測手段１１と、電源遮断時に、給電時間計測手段１１によって計測された給電時間計測値を記憶する給電時間計測値記憶手段１２と、電源再投入時に、給電時間計測値記憶手段１２に記憶されている給電時間計測値を演出制御基板２に出力する給電時間計測値出力手段１３とを備える。
【００１５】
演出制御基板２は、複数種類の報知内容を予め記憶した報知内容記憶手段２１と、主制御基板１から給電時間計測値が入力されてきたとき、報知内容記憶手段２１に記憶されている複数種類の報知内容のうちから当該給電時間計測値に対応する１種類の報知内容を選択し、図柄表示装置３、スピーカ４、装飾ランプ５及び/又は外部装置６に出力する報知内容選択出力手段２２とを備える。
【００１６】
ここで、報知内容の種類は、例えば次のように設定する。
【００１７】
図柄表示装置３による報知の場合、図柄表示装置３の表示画面の表示色として複数色（例えば、赤色、緑色、青色、黄色）を用意し、給電時間計測値がT1〜T2の範囲では「赤色」、T2〜T3の範囲では「緑色」、T3〜T4の範囲では「青色」、T4〜T5の範囲では「黄色」というように設定する。また、スピーカ４による報知の場合、スピーカ４の音声出力として複数の音階（例えば、ド、ミ、ソ、シ）による音声を用意し、給電時間計測値がT1〜T2の範囲では「ド」、T2〜T3の範囲では「ミ」、T3〜T4の範囲では「ソ」、T4〜T5の範囲では「シ」というように設定する。また、装飾ランプ５による報知の場合、装飾ランプ５の表示パターンとして複数色（例えば、赤色、緑色、青色、黄色）による表示パターンを用意し、給電時間計測値がT1〜T2の範囲では「赤色」による表示パターン、T2〜T3の範囲では「緑色」による表示パターン、T3〜T4の範囲では「青色」による表示パターン、T4〜T5の範囲では「黄色」による表示パターンというように設定する。また、外部装置６による報知の場合、外部装置への出力信号を複数（例えば、A、B、C、D）用意し、給電時間計測値がT1〜T2の範囲では信号A、T2〜T3の範囲では信号B、T3〜T4の範囲では信号C、T4〜T5の範囲では信号Dをそれぞれ出力するというように設定する。
【００１８】
次に、図２のフローチャートに基づいて、主制御基板１及び演出制御基板２による不正行為発見のための処理の流れを説明する。
【００１９】
遊技機の電源が投入されると、主制御基板１は、給電時間を計測開始する（ステップS1）。
【００２０】
次に、主制御基板１は、前回の給電時間計測値が有るか否かを判定し（ステップS2）、前回の給電時間計測値が有る場合、この給電時間計測値を演出制御基板に送信し（ステップS3）、一方、前回の給電時間計測値が無い場合、バックアップデータに異常が有る旨を演出制御基板２に送信する（ステップS4）。ここで、前回の給電時間計測値は、前回の電源遮断時に、後述するステップS6で記憶された給電時間計測値である。
【００２１】
一方、演出制御基板２は、所定時間内に主制御基板１から前回の給電時間計測値を受信したか否かを判定する（ステップS11）。前回の給電時間計測値を受信した場合、報知内容記憶手段２１に記憶されている複数種類の報知内容のうちから当該給電時間計測値に対応する１種類の報知内容を選択し、図柄表示装置３、スピーカ４、装飾ランプ５及び/又は外部装置６に出力する（ステップS12）。一方、前回の給電時間計測値を受信しなかった場合、主制御基板１のバックアップデータに異常が有る旨を出力する（ステップS13）。
【００２２】
その後、電源が遮断されると、主制御基板１は、電源遮断による電圧低下を判定し（ステップS5）、今回の電源投入から電源遮断までの給電時間計測値を記憶する（ステップS6）。
【００２３】
以上説明したように、第１実施形態に係る遊技機は、主制御基板１と演出制御基板２と報知手段３〜６とを備える遊技機であって、主制御基板１に、遊技機の電源投入から電源遮断までの給電時間を計測する給電時間計測手段１１と、電源遮断時に給電時間計測手段１１により計測された給電時間計測値を記憶する給電時間計測値記憶手段１２と、電源再投入時に、給電時間計測値記憶手段１２に記憶されている給電時間計測値を演出制御基板２に出力する給電時間計測値出力手段１３とを設け、かつ、演出制御基板２に、複数種類の報知内容を予め記憶した報知内容記憶手段２１と、主制御基板１から給電時間計測値が入力されてきたとき、報知内容記憶手段２１に記憶されている複数種類の報知内容のうちから当該給電時間計測値に対応する１種類の報知内容を選択し、報知手段３〜６に出力する報知内容選択出力手段２２とを設けた。
【００２４】
第１実施形態に係る遊技機によると、パチンコホールなどにおいて、１台の遊技機に対して不正行為が行われ、正規の主制御基板１の代わりに不正な主制御基板１が取り付けられた場合、主制御基板１の給電時間計測手段１１による給電時間計測値は、他の不正行為が行われなかった遊技機の給電時間計測手段１１による給電時間計測値と通常は異なる値となる。各々の遊技機の報知手段３〜６は、電源再投入時に、各々の給電時間計測手段１１によって計測された給電時間計測値に応じた報知内容で報知を行うため、不正行為が行われた遊技機の報知手段３〜６で報知される報知内容と、不正行為が行われなかった遊技機の報知手段３〜６で報知される報知内容とを異なるものとすることが可能である。このため、パチンコホールの開店直前などの電源再投入時に、他の遊技機とは異なる報知内容で報知が行われている遊技機の有無に注意することで、不正行為が行われた遊技機を容易に発見することができるようになる。
【００２５】
図３に示した第２実施形態に係る遊技機は、第１実施形態に係る遊技機における演出制御基板２の役割を主制御基板１が果たすよう構成されている。このため、主制御基板１は、遊技機の電源投入時に起動し、電源遮断までの給電時間を計測する給電時間計測手段１１と、電源遮断時に、給電時間計測手段１１によって計測された給電時間計測値を記憶する給電時間計測値記憶手段１２と、複数種類の報知内容を予め記憶した報知内容記憶手段１４と、電源再投入時に、報知内容記憶手段１４に記憶されている複数種類の報知内容のうちから給電時間計測値記憶手段１２に記憶されている給電時間計測値に対応する１種類の報知内容を選択し、報知手段３〜６に出力する報知内容選択出力手段１５とを備える。ここで、報知内容の種類は、上述した第１実施形態における報知内容と同様である。
【００２６】
次に、図４のフローチャートに基づいて、主制御基板１による不正行為発見のための処理の流れを説明する。
【００２７】
遊技機の電源が投入されると、主制御基板１は、給電時間を計測開始する（ステップS1）。
【００２８】
次に、主制御基板１は、前回の給電時間計測値が有るか否かを判定し（ステップS2）、前回の給電時間計測値が有る場合、報知内容記憶手段１４に記憶されている複数種類の報知内容のうちから当該給電時間計測値に対応する１種類の報知内容を選択し、図柄表示装置３、スピーカ４、装飾ランプ５及び/又は外部装置６に出力する（ステップS7）。一方、前回の給電時間計測値が無い場合、主制御基板１のバックアップデータに異常が有る旨を出力する（ステップS8）。
【００２９】
その後、電源が遮断されると、主制御基板１は、電源遮断による電圧低下を判定し（ステップS5）、今回の電源投入から電源遮断までの給電時間計測値を記憶する（ステップS6）。
【００３０】
以上説明したように、第２実施形態に係る遊技機は、第１実施形態に係る遊技機において演出制御基板２が行う役割を主制御基板１が行うよう構成したものであり、第２実施形態に係る遊技機によっても、第１実施形態に係る遊技機と同様、パチンコホールの開店直前などの電源再投入時に、他の遊技機とは異なる報知内容で報知が行われている遊技機の有無に注意することで、不正行為が行われた遊技機を容易に発見することができるようになる。
【図面の簡単な説明】
【００３１】
【図１】本発明の第１実施形態に係るパチンコ遊技機における電気系統の主要部ブロック図である。
【図２】図１図示の主制御基板及び演出制御基板による不正行為発見のための処理の内容を表したフローチャートである。
【図３】本発明の第２実施形態に係るパチンコ遊技機における電気系統の主要部ブロック図である。
【図４】図３図示の主制御基板による不正行為発見のための処理の内容を表したフローチャートである。
【符号の説明】
【００３２】
１    主制御基板（メイン基板）
２    演出制御基板（サブ基板）
３    図柄表示装置（報知手段）
４    スピーカ（報知手段）
５    装飾ランプ（報知手段）
６    外部装置（報知手段）
１１    給電時間計測手段
１２    給電時間計測値記憶手段
１３    給電時間計測値出力手段
２１    報知内容記憶手段
２２    報知内容選択出力手段
【図１】
2008043552.tif 000003
【図２】
2008043552.tif 000004
【図３】
2008043552.tif 000005
【図４】
2008043552.tif 000006